【手続補正書】
【提出日】平成19年10月5日(2007.10.5)
【手続補正１】
【補正対象書類名】特許請求の範囲
【補正対象項目名】全文
【補正方法】変更
【補正の内容】
【特許請求の範囲】
【請求項１】
撮像画像から人物の顔が存在する位置を検出する顔位置検出手段と、
撮像光学系の合焦状態を検出する際の焦点検出エリアを設定する設定手段と、
前記焦点検出エリアにおける信号出力に基づいて前記撮像光学系を移動させて焦点調節を行う焦点調節手段とを具備し、
前記焦点調節手段は、前記人物の顔が存在する第１の焦点検出エリアにおける信号出力から求められた合焦位置と、前記人物の顔の位置から見て前記人物の体が位置すると予測される第２の焦点検出エリアにおける信号出力から求められた合焦位置との差が予め定められた値以下の場合には、前記第１の焦点検出エリアの合焦位置を参照して焦点調節を行うことを特徴とする撮像装置。
【請求項２】
前記撮像画像を表示する表示手段と、
前記焦点調節手段が前記第２の焦点検出エリアで求められた合焦位置を参照して焦点調節を行う場合に、前記人物の顔が存在する前記表示手段上の位置に合焦表示を行うように前記表示手段を制御する表示制御手段とをさらに具備することを特徴とする請求項１に記載の撮像装置。
【請求項３】
撮像画像から人物の顔が存在する位置を検出する顔位置検出手段と、
撮像光学系の合焦状態を検出する際の焦点検出エリアを設定する設定手段と、
前記焦点検出エリアにおける信号出力に基づいて前記撮像光学系を移動させて焦点調節を行う焦点調節手段と、
前記撮像画像を表示する表示手段と、
前記焦点調節手段により前記人物の顔が存在する第１の焦点検出エリアにおける信号出力から求められた合焦位置と、前記人物の顔の位置から見て前記人物の体が位置すると予測される第２の焦点検出エリアにおける信号出力から求められた合焦位置のいずれを参照して焦点調節が行われた場合でも、前記人物の顔が存在する前記表示手段上の位置に合焦表示を行うように前記表示手段を制御する表示制御手段と、
を具備することを特徴とする撮像装置。
【請求項４】
前記設定手段は、前記第２の焦点検出エリアを複数設定し、
前記焦点調節手段は、前記複数の第２の焦点検出エリアにおける信号出力に基づいて焦点調節を行うことを特徴とする請求項１乃至３のいずれか１項に記載の撮像装置。
【請求項５】
前記焦点調節手段は、前記第１の焦点検出エリアにおいて合焦位置を検出できなかった場合に、前記第２の焦点検出エリアにおける合焦位置を検出することを特徴とする請求項３又は４に記載の撮像装置。
【請求項６】
撮像画像から人物の顔が存在する位置を検出する顔位置検出工程と、
撮像光学系の合焦状態を検出する際の焦点検出エリアを設定する設定工程と、
前記焦点検出エリアにおける信号出力に基づいて前記撮像光学系を移動させて焦点調節を行う制御をする焦点調節工程とを有し、
前記焦点調節工程では、前記人物の顔が存在する第１の焦点検出エリアにおける信号出力から求められた合焦位置と、前記人物の顔の位置から見て前記人物の体が位置すると予測される第２の焦点検出エリアにおける信号出力から求められた合焦位置との差が予め定められた値以下の場合には、前記第１の焦点検出エリアの合焦位置を参照して焦点調節を行うよう制御することを特徴とする撮像装置の制御方法。
【請求項７】
撮像画像から人物の顔が存在する位置を検出する顔位置検出工程と、
撮像光学系の合焦状態を検出する際の焦点検出エリアを設定する設定工程と、
前記焦点検出エリアにおける信号出力に基づいて前記撮像光学系を移動させて焦点調節を行うよう制御する焦点調節工程と、
前記焦点調節工程により前記人物の顔が存在する第１の焦点検出エリアにおける信号出力から求められた合焦位置と、前記人物の顔の位置から見て前記人物の体が位置すると予測される第２の焦点検出エリアにおける信号出力から求められた合焦位置のいずれを参照して焦点調節が行われた場合でも、前記人物の顔が存在する位置に合焦表示を行うように制御する表示制御工程と、
を有することを特徴とする撮像装置の制御方法。
【請求項８】
請求項６又は請求項７に記載の制御方法をコンピュータに実行させるためのプログラム。
【請求項９】
請求項８に記載のプログラムを記憶したことを特徴とするコンピュータ読み取り可能な記憶媒体。
【手続補正２】
【補正対象書類名】明細書
【補正対象項目名】０００７
【補正方法】変更
【補正の内容】
【０００７】
上述した課題を解決し、目的を達成するために、本発明に係わる撮像装置は、撮像画像から人物の顔が存在する位置を検出する顔位置検出手段と、撮像光学系の合焦状態を検出する際の焦点検出エリアを設定する設定手段と、前記焦点検出エリアにおける信号出力に基づいて前記撮像光学系を移動させて焦点調節を行う焦点調節手段とを具備し、前記焦点調節手段は、前記人物の顔が存在する第１の焦点検出エリアにおける信号出力から求められた合焦位置と、前記人物の顔の位置から見て前記人物の体が位置すると予測される第２の焦点検出エリアにおける信号出力から求められた合焦位置との差が予め定められた値以下の場合には、前記第１の焦点検出エリアの合焦位置を参照して焦点調節を行うことを特徴とする。
また、他の本発明に係わる撮像装置は、撮像画像から人物の顔が存在する位置を検出する顔位置検出手段と、撮像光学系の合焦状態を検出する際の焦点検出エリアを設定する設定手段と、前記焦点検出エリアにおける信号出力に基づいて前記撮像光学系を移動させて焦点調節を行う焦点調節手段と、前記撮像画像を表示する表示手段と、前記焦点調節手段により前記人物の顔が存在する第１の焦点検出エリアにおける信号出力から求められた合焦位置と、前記人物の顔の位置から見て前記人物の体が位置すると予測される第２の焦点検出エリアにおける信号出力から求められた合焦位置のいずれを参照して焦点調節が行われた場合でも、前記人物の顔が存在する前記表示手段上の位置に合焦表示を行うように前記表示手段を制御する表示制御手段と、を具備することを特徴とする。
【手続補正３】
【補正対象書類名】明細書
【補正対象項目名】０００８
【補正方法】変更
【補正の内容】
【０００８】
また、本発明に係わる撮像装置の制御方法は、撮像画像から人物の顔が存在する位置を検出する顔位置検出工程と、撮像光学系の合焦状態を検出する際の焦点検出エリアを設定する設定工程と、前記焦点検出エリアにおける信号出力に基づいて前記撮像光学系を移動させて焦点調節を行う制御をする焦点調節工程とを有し、  前記焦点調節工程では、前記人物の顔が存在する第１の焦点検出エリアにおける信号出力から求められた合焦位置と、前記人物の顔の位置から見て前記人物の体が位置すると予測される第２の焦点検出エリアにおける信号出力から求められた合焦位置との差が予め定められた値以下の場合には、前記第１の焦点検出エリアの合焦位置を参照して焦点調節を行うよう制御することを特徴とする。
また、他の本発明に係わる撮像装置の制御方法は、撮像画像から人物の顔が存在する位置を検出する顔位置検出工程と、撮像光学系の合焦状態を検出する際の焦点検出エリアを設定する設定工程と、前記焦点検出エリアにおける信号出力に基づいて前記撮像光学系を移動させて焦点調節を行うよう制御する焦点調節工程と、前記焦点調節工程により前記人物の顔が存在する第１の焦点検出エリアにおける信号出力から求められた合焦位置と、前記人物の顔の位置から見て前記人物の体が位置すると予測される第２の焦点検出エリアにおける信号出力から求められた合焦位置のいずれを参照して焦点調節が行われた場合でも、前記人物の顔が存在する位置に合焦表示を行うように制御する表示制御工程と、を有することを特徴とする。